(57)【要約】同期リングブレードのセクタ１６は、二つの部品の延在部にある穿孔を貫通するピン２３によって、ケーシング１５の溝１８内にスライドすることにより接線回転運動に対し保持され、前記二つの部品が完全に組み立てられる場合、この二つの部品の間で維持される弾性固定リング２４または固定タブ２６のいずれかにより、偶発的な移動の間で保持される。
2005506485.tif 000002
【特許請求の範囲】
【請求項１】
ガスタービンのケーシング（１９、２７）におけるガイドベーンのブレードセクタ（１６、３４）の回転を止めるための回転止め装置であって、該回転止め装置が、前記セクタおよび前記ケーシングでそれぞれ一列になって形成される一対の穿孔（２１、２２、３２、３５）、前記一対の穿孔にはめ込まれるピン（２３、３０）、および前記穿孔で前記ピンを保持する手段（２４、２６、３１）を備えることを特徴とする、回転止め装置。
【請求項２】
前記穿孔が、前記ガイドベーンセクタのリム（１７）およびケーシング（１５）内の溝（１８）を貫通して形成され、前記溝の中に前記リムが押し込まれ、保持する手段が、固定リング（２４）を含み、該固定リング（２４）が、前記溝の中の前記リムの下に差し込まれ、かつ前記ピンと交わる凹所を占めることを特徴とする、請求項１に記載の回転止め装置。
【請求項３】
前記保持する手段が、固定タブ（２６、３１）を含み、該固定タブ（２６、３１）は、前記ピンから突出し、かつ片側において前記ガイドベーンセクタと接触し、他方の側において前記ケーシングと接触して止ることを特徴とする、請求項１または２に記載の回転止め装置。
【請求項４】
前記ピンが、対応した非円形断面を備える前記穿孔のうちの一つに調整される非円形断面（３７、３８）を含むことを特徴とする、請求項３に記載の回転止め装置。
【発明の詳細な説明】
【技術分野】
【０００１】
本発明の目的は、ガスタービンケーシングにおける固定ブレード軸受けセクタの回転を止めるための回転止め装置である。
【背景技術】
【０００２】
ガスタービンケーシングは、普通、二つの補足的なセクタから構成され、各セクタは、半回転だけ延在し、連続的な環状溝が備えられる。固定ブレードの支持ガイドベーンセクタが、この連続的な環状溝にはめ込まれ、連続的な環状溝は、より小さい円周部分に延在する。このような装置は、セクタを溝で一緒にスライドすることにより、自由にセクタをケーシング内でスライドさせ、動作の間に、摩滅および騒音を引き起こす。このため、これらのセクタの回転を止めるためのシステムが提供され、このシステムは、様々な形態で知られている装置において既に使用されている。第一に、ケーシングセクタ間の溝を交差するモジュールを配置し、ガイドベーンセクタの運動を止めることが可能である。このシステムは簡単であるが、回転止め手段を二つ以上設置することができないという不都合を有し、従って、ブレードセクタの無規則な運動を部分的にしか修正しない。
【０００３】
また、径方向の延長ロッドを使用して、ブレードセクタを外部ケーシングに個々に接続するよう構成することもあるが、このタイプの構造は、機械をさらに大幅に複雑化してしまうことが明らかである。
【発明の開示】
【発明が解決しようとする課題】
【０００４】
本発明の目的は、極めて簡単に回転を止め、改善すべき既存の機械に適用できる、低コストのシステムを提供することである。このシステムは、ガイドベーンセクタに個々に適用可能であり、従って全てのセクタに備えられる場合には、余分なコストを必要とせずセクタを完全に固定する。本発明の別の利点は、ガイドベーンセクタ間の耐漏れ性能が損なわれないことである。
【課題を解決するための手段】
【０００５】
回転止め装置は、その最も一般的な形態において、ガイドベーンセクタおよびケーシングでそれぞれ一列になって形成される一対の穿孔、この一対の穿孔にはめ込まれるピン、および穿孔でピンを保持する手段を含む。
【０００６】
特に、穿孔は、ガイドベーンセクタのリム、およびリムが押し込まれるケーシング内の溝を貫通して形成することができる。
【０００７】
有利には、保持する手段は、固定リングを含み、この固定リングは、溝の中のリムの下に差し込まれ、かつピンと交わる凹所を占める。また更に、保持する手段は、固定タブを含むことができ、この固定タブは、ピンから突出し、かつ片側においてガイドベーンセクタと接触し、また他方の側においてケーシングと接触して止る。
【０００８】
有利には、ピンの断面が非円形であり、また対応した非円形の断面を備える穿孔にピンの断面が調整される。
【０００９】
添付の図面を参照して、本発明を説明する。
【発明を実施するための最良の形態】
【００１０】
図１は、ケーシング１５およびガイドベーンセクタ１６の一部を示す図である。ガイドベーンセクタは、軸方向に面するリム１７を備え、このリム１７は、別の軸方向に湾曲するかぎ状部分１９とケーシングの主要円筒部分２０との間に形成される溝１８に係合される。ケーシング１５は、かぎ状部分１９を貫通する穿孔２１を含み、またセクタ要素１６は、リム１７と交わり、かつ穿孔２１を延長した穿孔２２を含む。図４は、この構成をより良く理解するのに役立つ。
【００１１】
図２にも示すように、ピン２３は、穿孔２１および２２にはめ込まれ、従ってケーシング１５に対しセクタ１６の回転を止める。ピンは、リム１７の下の溝１８の底に係合される取り付け固定リング２４によって、穿孔２１および２２の適所に固定される。固定リング２４は、かぎ状部分１９に形成される図示しない開口部から始まり、ピン２３の凹所２５を貫通する。ピン２３は、固定タブ２６により、偶発的に引き抜かれてしまうことを防止されることができ、この固定タブ２６は、ピン２３から突出し、かつ片側においてケーシングと接触し、他方の側においてガイドベーンセクタと接触して止る。このことは、ピン２３を穿孔２１および２２の所定の位置に置いた後で、ガイドベーンセクタ１６をケーシングに接続することにより達成してもよい。ケーシング１５は、その径方向内部にある別のケーシング２７に取り付けられ、穿孔２１は、この別のケーシング２７の下部側に開き、固定タブ２６は、この別のケーシング２７と接触するようになるが、これにより変更が生じることはない。
【００１２】
固定リング２４は、次いで溝１８の底面に配置され、固定リングは、一連のガイドベーンセクタ１６の前に延在し、対応する数のピン２３を適所に保持することができる。
【００１３】
構成が図４にも図示される別の実施形態が、図３に示され、一対の側方突出部３１を含むピン３０を含む。上述のピンのように、ピン３０は、ガイドベーンセクタ３４のリム３３に形成される穿孔３２、および上述の穿孔を越えてこの場合別のケーシング２７を貫通して形成される穿孔３５と係合される。別のケーシング２７およびガイドベーンセクタ３４が、穿孔３２および３５と先に係合されるピン３０と共に組み立てられる場合、別のケーシング２７およびガイドベーンセクタ３４が、突出部３１により占められるキャビティ３６を囲み、ピン３０が引き抜かれるのを防止する。従って、同じ組み立て方法が、ピン２３および３０において使用される。
【００１４】
ピン２３および３０は、穿孔２１、２２、３２、および３５のうちの一つと係合される平坦面３７および３８のような非円形部分を含み、これによって組み立ての妨害となるピン２３または３０の偶発的な回転を防止する。これら非円形部分が係合される穿孔は、明らかに相補的な形状の断面を備える。ピンの端を削ることにより、穿孔へ容易に挿入することができ、ピン３０の一つの端を３９と符号を付し、これはピラミッド形状を有する。
【００１５】
上記に十分に説明した二つの実施形態に記述したいくつかの要素を組み合わせさえすれば、他の実施形態が可能であることは明白である。
【図面の簡単な説明】
【００１６】
【図１】本発明の特定の実施形態を示す図である。
【図２】ピンを分離して示す図である。
【図３】本発明の第二の実施形態を示す図である。
【図４】機械における本発明の構成を示す図である。
【図１】
2005506485.tif 000003
【図２】
2005506485.tif 000004
【図３】
2005506485.tif 000005
【図４】
2005506485.tif 000006
【国際公開パンフレット】
2005506485.tif 000007
2005506485.tif 000008
2005506485.tif 000009
2005506485.tif 000010
2005506485.tif 000011
2005506485.tif 000012
2005506485.tif 000013
2005506485.tif 000014
2005506485.tif 000015
2005506485.tif 000016
2005506485.tif 000017
【国際調査報告】
2005506485.tif 000018
2005506485.tif 000019
2005506485.tif 000020
2005506485.tif 000021